(57)【要約】【課題】高いデザイン性と、人を検出する性能とを両立できる冷蔵庫を提供する。【解決手段】各々の開閉部２０ＵＬ，２０ＵＲ，２０ＤＬ，２０ＤＲに対応して設けられ、対応する受け部４０ＵＬ，４０ＵＲ，４０ＤＬ，４０ＤＲを後方から押圧することによって対応する開閉部の開操作をアシストするアシスト部３０ＵＬ，３０ＵＲ，３０ＤＬ，３０ＤＲと、各々の開閉部に対応して設けられ、物体が近接すると近接検出信号を出力する近接センサ部６０と、一または複数の開閉部のうち最下段のものよりも下方に設けられ、筐体１０の前方に位置する人を検出可能するとともに、最大検出距離が近接センサ部６０よりも長い人感センサ部５０Ｌ，５０Ｒと、人感センサ部５０Ｌ，５０Ｒが人を検出し、かつ、近接センサ部６０が近接検出信号を出力すると、近接センサ部６０に対応するアシスト部を動作させる制御部８０と、を冷蔵庫１に設けた。【選択図】図１
2022001808.tif 000002
【特許請求の範囲】
【請求項１】
筐体と、
前記筐体の正面に設けられた一または複数の開閉部と、
前記開閉部のうち一部または全部に設けられた受け部と、
前記受け部を後方から押圧することによって該受け部が設けられた前記開閉部の開操作をアシストするアシスト部と、
該受け部が設けられた前記開閉部に設けられ、物体が近接すると近接検出信号を出力する近接センサ部と、
前記開閉部のうち最下段のものの下端またはこれよりも下方に設けられ、前記筐体の前方に位置する人を検出可能するとともに、最大検出距離が前記近接センサ部よりも長い人感センサ部と、を備える
ことを特徴とする冷蔵庫。
【請求項２】
前記人感センサ部が人を検出し、かつ、前記近接センサ部が前記近接検出信号を出力すると、前記近接センサ部が設けられた前記開閉部に作用する前記アシスト部を動作させる制御部をさらに備える
ことを特徴とする請求項１に記載の冷蔵庫。
【請求項３】
前記受け部に前記人感センサ部が装着されている
ことを特徴とする請求項１または２に記載の冷蔵庫。
【請求項４】
前記人感センサ部に対して、前記受け部とは異なる側にクッションを備える請求項３に記載の冷蔵庫。
【請求項５】
前記筐体は天板と底板とを有し、
前記開閉部として、閉扉状態において前記底板に対向する部分を含む長方形板状に形成された外板を有する下側開閉部を備え、
前記受け部として、前記下側開閉部の前記外板の下縁よりも下方に設けられた下側受け部を備え、
前記アシスト部として、前記底板に装着され、前記下側受け部を後方から押圧することによって前記下側開閉部の開操作をアシストする下側アシスト部を備える
ことを特徴とする請求項１乃至４の何れか一項に記載の冷蔵庫。
【請求項６】
前記開閉部として、閉扉状態において前記天板に対向する長方形板状に形成された外板を有する上側開閉部をさらに備え、
前記受け部として、前記上側開閉部の前記外板の上縁よりも下方に設けられた上側受け部をさらに備え、
前記アシスト部として、前記天板に装着され、前記上側受け部を後方から押圧することによって前記上側開閉部の開操作をアシストする上側アシスト部をさらに備える
ことを特徴とする請求項５に記載の冷蔵庫。
【請求項７】
正面視において、前記受け部が設けられた開閉部の断熱材は、該受け部と重ならない
ことを特徴とする請求項１乃至６の何れか一項に記載の冷蔵庫。
【請求項８】
貯蔵室のうち最上段に位置する上側貯蔵室と、
該上側貯蔵室に設けられた上側扉と、
貯蔵室のうち最下段に位置する下側貯蔵室と、
該下側貯蔵室に設けられた下側扉と、
前記上側扉の上縁若しくはこれより上側または前記下側扉の下縁若しくはこれより下側に配された受け部と、
該受け部に作用して、該受け部が設けられている扉に前方向への力を与えるアシスト部と、
前記受け部に装着された人感センサと、を備える
ことを特徴とする冷蔵庫。
【発明の詳細な説明】
【技術分野】
【０００１】
本発明は、冷蔵庫に関する。
【背景技術】
【０００２】
本技術分野の背景技術として、下記特許文献１の明細書段落００３８には、「次に、人検知手段４について説明する。図１に示すように、ディスペンサ部２の窪み形状の上部に、人検知手段４が設けられている。この位置に人検知手段４を配置することで、扉前面に人検知手段４が突出することを抑えて、扉前面をフラットな形状に保ちつつ、人検知手段４の検知性能を発揮することができる。」と記載されている。
【先行技術文献】
【特許文献】
【０００３】
【特許文献１】特開２０１６−７５４５１号公報
【発明の概要】
【発明が解決しようとする課題】
【０００４】
近年の冷蔵庫では、ユーザに様々な利便性を提供するため、冷蔵庫に近づくユーザを検出する人感センサが設けられている。また、近年の冷蔵庫では、扉正面の面材にガラス素材を使用する等、デザイン性が重視されている。そのため、目立つ位置に人感センサを装着することは、なるべく避けたいという要望がある。しかし、特許文献１の技術では、人感センサ（人検知手段）はディスペンサ部の扉の後方に設けられるため、ディスペンサ部の扉の材質によっては人感センサの性能に制約を及ぼすことがある。
この発明は上述した事情に鑑みてなされたものであり、高いデザイン性と、人を検出する性能とを両立できる冷蔵庫を提供することを目的とする。
【課題を解決するための手段】
【０００５】
上記課題を解決するため本発明の冷蔵庫は、筐体と、前記筐体の正面に設けられた一または複数の開閉部と、前記開閉部のうち一部または全部に設けられた受け部と、前記受け部を後方から押圧することによって該受け部が設けられた前記開閉部の開操作をアシストするアシスト部と、該受け部が設けられた前記開閉部に設けられ、物体が近接すると近接検出信号を出力する近接センサ部と、前記開閉部のうち最下段のものの下端またはこれよりも下方に設けられ、前記筐体の前方に位置する人を検出可能するとともに、最大検出距離が前記近接センサ部よりも長い人感センサ部と、を備えることを特徴とする。
【発明の効果】
【０００６】
本発明によれば、高いデザイン性と、人を検出する性能とを両立できる冷蔵庫を実現できる。
【図面の簡単な説明】
【０００７】
【図１】好適な実施形態による冷蔵庫の閉扉状態の正面図である。
【図２】該冷蔵庫の開扉状態の正面図である。
【図３】図１におけるIII−III断面図である。
【図４】受け部および人感センサ部の一部切欠き斜視図である。
【図５】制御部等のブロック図である。
【発明を実施するための形態】
【０００８】
［実施形態の構成］
図１は、好適な実施形態による冷蔵庫１の閉扉状態の正面図である。
図１において、冷蔵庫１は、略直方体箱状の筐体１０と、筐体１０の正面を覆う上側のドア２０ＵＬ，２０ＵＲ（開閉部、上側開閉部）と、下側のドア２０ＤＬ，２０ＤＲ（開閉部、下側開閉部）と、を備えている。これら４枚のドアを総称して「ドア２０」と称することがある。ドア２０は、何れも略長方形板状に形成されている。左側のドア２０ＵＬ，２０ＤＬは左端部において開閉自在に筐体１０に軸支され、右側のドア２０ＵＲ，２０ＤＲは右端部において開閉自在に筐体１０に軸支されている。上側のドア２０ＵＬ，２０ＵＲの下面および下側のドア２０ＤＬ，２０ＤＲの上面は何れも凹んでおり、これら凹んだ部分を取っ手部２１と呼ぶ。ユーザは何れかのドア２０の取っ手部２１に指を入れて手前に引くことにより、そのドア２０を開扉することができる。また、冷蔵庫１の下部には、冷蔵庫１の各部を制御する制御部８０が設けられている。
【０００９】
筐体１０には、上端部中央付近の２箇所にアシスト部３０ＵＬ，３０ＵＲ（上側アシスト部）が設けられており、下端部中央付近の２箇所にアシスト部３０ＤＬ，３０ＤＲ（下側アシスト部）が設けられている。これら４個のアシスト部を総称して「アシスト部３０」と称することがある。また、各ドア２０の閉扉状態において、各アシスト部３０ＵＬ，３０ＵＲ，３０ＤＬ，３０ＤＲと正面視で略重なる位置に、上側の受け部４０ＵＬ，４０ＵＲ（上側受け部）と、下側の受け部４０ＤＬ，４０ＤＲ（下側受け部）と、が設けられている。これら４個の受け部を総称して「受け部４０」と称することがある。
【００１０】
各アシスト部３０は、制御部８０からの指令に基づいて、ユーザによる開扉操作をアシストする。より具体的には、各アシスト部３０は、対応する受け部４０を後方から押圧することにより、対応するドア２０を半開または開状態にする機能を有している。このように、アシスト部３０がドア２０を半開状態にすることにより、ユーザは軽い力でドア２０を開くことができる。開状態にする場合はユーザがドア２０に力を付与する必要がなくなる。なお、アシスト部３０を使用せずドア２０をユーザが人力で開扉することも勿論可能である。但し、そのためには、ある程度の力を入れてドア２０を引く必要がある。
【００１１】
各ドア２０の外板（意匠面）には、正面視矩形状の凹部（符号なし）が形成され、これら凹部には、各々近接センサ部６０が嵌入されている。近接センサ部６０は、カバー６２と、近接センサ６４と、カバー照明灯６６と、を備えている。ここで、カバー６２は、上述した凹部を覆う長方形板状の半透明部材である。そして、近接センサ６４およびカバー照明灯６６は、カバー６２の後方に配置されている。近接センサ６４は、例えば静電容量センサであり、カバー６２に物体（例えばユーザの手）が近接すると、制御部８０に対して近接検出信号を出力する。また、カバー照明灯６６は、制御部８０からの指令に基づいてカバー６２を照明する。ドア２０の外板としては、例えばガラス板、鋼板、樹脂板を使用できる。
【００１２】
また、上側のドア２０ＵＬ，２０ＵＲの取っ手部２１の上方には、それぞれ開扉報知灯２８Ｌ，２８Ｒが埋設されている。開扉報知灯２８Ｌ，２８Ｒは、何れも複数のＬＥＤ等の発光素子（図示せず）を一方向に沿って、本実施形態では左右方向に配列したものであり、これら発光素子は取っ手部２１の上面から下方に向かって露出している。従って、開扉報知灯２８Ｌ，２８Ｒからの放射光は、全てのドア２０が閉扉状態であるときは、下側のドア２０ＤＬ，２０ＤＲの上面付近に照射される。開扉報知灯２８Ｌ，２８Ｒの点灯状態は、制御部８０によって制御される。
【００１３】
また、各ドア２０の閉扉状態において、下側の受け部４０ＤＬ，４０ＤＲに重なる位置であって、最前面に人感センサ部５０Ｌ，５０Ｒが配置されている。なお、両者を総称して「人感センサ部５０」と称することがある。人感センサ部５０は、例えば赤外線によって、冷蔵庫１の前方に位置する人の存在を検出すると、制御部８０に対して人検出信号を出力する。本実施形態においては、人感センサ部５０は下側のドア２０ＤＬ，２０ＤＲの外板の下端面２６ＤＬ，２６ＤＲよりもさらに下方に設けられている。
【００１４】
これにより、人感センサ部５０は、冷蔵庫１のデザイン性を損なうことがないため、冷蔵庫１の高いデザイン性を実現することができる。例えば、冷蔵庫１の製造者は、ドア２０の材質等を自由に選択できる。また、人感センサ部５０は、例えばディスペンサ部の扉（図示せず）のような物によって遮られないため、最大検出距離は、近接センサ部６０の最大検出距離よりも長くなっている。すなわち、近接センサ部６０の最大検出距離は例えば、５ｃｍであるのに対して、人感センサ部５０の最大検出距離は、例えば０．５メートル以上、あるいは１メートル以上である。
【００１５】
図２は、冷蔵庫１の開扉状態の正面図である。
図２において、冷蔵庫１の筐体１０は、天板１２と、中板１５と、底板１７と、を備えている。天板１２と中板１５との間の空間を上冷蔵室１４と呼ぶ。また、中板１５と底板１７との間の空間を下冷蔵室１６と呼ぶ。但し、上冷蔵室１４および下冷蔵室１６は、それぞれ複数の貯蔵室（符号なし）に分割されており、制御部８０は貯蔵室毎に冷蔵または冷凍温度を設定することができる。天板１２には、その上面から上方向に突出するように、正面視が略台形状の装着板３６が突出しており、該装着板３６に上側のアシスト部３０ＵＬ，３０ＵＲが埋設されている。
【００１６】
上側のドア２０ＵＬ，２０ＵＲの外板の上端面２４ＵＬ，２４ＵＲは、天板１２の上端面よりも、上方向に若干突出している。そして、その突出した部分に、上側の受け部４０ＵＬ，４０ＵＲが装着されている。これにより、上側のドア２０ＵＬ，２０ＵＲを閉扉すると、図１に示したように、上側の受け部４０ＵＬ，４０ＵＲ、装着板３６、および上側のアシスト部３０ＵＬ，３０ＵＲは全て隠れる。これにより、受け部４０ＵＬ，４０ＵＲや、アシスト部３０ＵＬ，３０ＵＲ等が冷蔵庫１のデザイン性を損なうことを抑制できる。
【００１７】
一方、上述のように下側の受け部４０ＤＬ，４０ＤＲには、正面側に組み込むように人感センサ部５０Ｌ，５０Ｒが配置されている。人感センサ部５０Ｌ，５０Ｒの前方には下側のドア２０ＤＬ，２０ＤＲの外板は達しておらず、人感センサ部５０Ｌ，５０Ｒは外板の縁より外側に位置しており、すなわち冷蔵庫１前方に露出している。これにより、外板から露出させて人を検出する人感センサ部５０を受け部４０に重ねて目立ちにくくできる。なお、下側の受け部４０の下面側に人感センサ部５０を組み込んでもよい。
【００１８】
また、本実施形態とは逆に、下側の受け部４０の正面には外板を達しさせ、上側の受け部４０の正面側または上面側に人感センサ部５０を組み込ませ、人感センサ部５０の正面には外板の縁を達しないようにしてもよい。この場合、人感センサ部５０は冷蔵庫の上端に位置することになるため、特に身長が低めの人の検知を考えると、本実施形態のように下側に設ける方が好ましい。また、本実施形態では、ドア２０のうち正面視で貯蔵室と重ならない位置に人感センサ部５０を設けている。ドア２０のうち貯蔵室と重なる領域には断熱材が設けられているため、ここに人感センサ部５０や受け部４０を設けると、断熱性能の低下を招来し得る。すなわちドア２０の断熱材と重ならない位置に受け部４０や人感センサ部５０を設けているため断熱性の観点から好ましい。
【００１９】
ところで、天板１２の内部には、断熱材（図示せず）が充填されている。本実施形態によれば、装着板３６を天板１２の上面に設け、装着板３６に上側のアシスト部３０ＵＬ，３０ＵＲを埋設したため、これらアシスト部３０ＵＬ，３０ＵＲを装着するために天板１２の内部のスペースを割り当てる必要がない。そのため、天板１２の各部において断熱材の厚さを充分に確保することができ、冷蔵庫１の保温性を高めることができる。
【００２０】
図３は、図１におけるIII−III断面図である。
図３において、アシスト部３０ＤＬは、ソレノイド３２と、プランジャ３４と、を備えている。ソレノイド３２は略円筒状に形成され、その軸方向は冷蔵庫１の前後方向に一致している。プランジャ３４は、長尺円柱状に形成され、ソレノイド３２に遊挿されている。
【００２１】
ソレノイド３２に所定の電流を流すと、プランジャ３４は前方向に移動し、受け部４０ＤＬを押圧する。受け部４０ＤＬは、ドア２０ＤＬの下端面２６ＤＬに装着されている。これにより、受け部４０ＤＬがプランジャ３４に押圧されると、ドア２０ＤＬが半開状態になる。また、プランジャ３４の移動距離を増せばドア２０ＤＬを開状態にできる。
【００２２】
図４は、受け部４０ＤＬおよび人感センサ部５０Ｌの一部切欠き斜視図である。
図４において、受け部４０ＤＬは、上面視が格子状である枠体部４２と、略円筒状に形成された一対の固定部４４と、を備えている。固定部４４の中空部分に下方からボルト（図示せず）を挿通し、これらボルトをドア２０ＤＬの下端面２６ＤＬ（図３参照）に螺合することにより、受け部４０ＤＬをドア２０ＤＬに固定することができる。
【００２３】
人感センサ部５０Ｌは、人感センサ５２と、人感センサ・カバー５４と、クッション５６と、を備えている。人感センサ５２は、例えば赤外線センサである。人感センサ・カバー５４は赤外線を透過しやすい素材を長方形板状に形成したものであり、人感センサ部５０Ｌの前面を覆っている。
【００２４】
クッション５６は、弾性部材によって構成され、人感センサ・カバー５４の周縁部と、人感センサ５２の側面および底面を覆っている。これによって、クッション５６は、人感センサ部５０Ｌがユーザの足に接触した際に、ユーザの怪我を防止する。なお、図２に示した右側のアシスト部３０ＤＲ、受け部４０ＤＲおよび人感センサ部５０Ｒも、上述した左側のアシスト部３０ＤＬ、受け部４０ＤＬおよび人感センサ部５０Ｌと同様に構成されている。
【００２５】
図５は、制御部８０等のブロック図である。
制御部８０は、ＣＰＵ（Central Processing Unit）、ＲＡＭ（Random Access Memory）、ＲＯＭ（Read Only Memory）等、一般的なコンピュータとしてのハードウエアを備えており、ＲＯＭには、ＣＰＵによって実行される制御プログラムや、各種データ等が格納されている。
【００２６】
図５において、制御部８０の内部は、制御プログラム等によって実現される機能を、ブロックとして示している。すなわち、制御部８０は、照明制御部８２と、アシスト制御部８４と、温度制御部８６と、を備えている。また、圧縮機９２および庫内ファン９４は、冷蔵庫１の筐体１０（図２参照）内に設けられている。
【００２７】
人感センサ部５０が人を検出すると、人感センサ部５０は、制御部８０に対して人検出信号を出力する。この人検出信号が供給されると、照明制御部８２は、４枚の各ドア２０に設けられた４個のカバー照明灯６６（図２参照）を点灯状態にする。ここで、ユーザが４個の近接センサ部６０の何れかに物体（例えばユーザの手）手を近接させると、当該近接センサ部６０に設けられた近接センサ６４が、制御部８０に対して近接検出信号を出力する。
【００２８】
何れかの近接センサ６４が制御部８０に近接検出信号を出力すると、アシスト制御部８４は、４個のアシスト部３０のうち、当該近接センサ６４に対応するアシスト部３０を駆動する。すなわち、物体の近接を検出した近接センサ６４が配されているドア２０を開くアシスト部３０が駆動する。これにより、当該アシスト部３０は、対応するドア２０の開扉をアシストする。すなわち、当該アシスト部３０は、ドア２０を半開状態または開状態にする力をドア２０に付与する。ここで、アシスト制御部８４が左側のアシスト部３０ＵＬ，３０ＤＬの何れかを駆動する場合、照明制御部８２は、ドア２０ＤＬの上面に照射される光が一方側から他方側に向かって、本実施形態では右から左に向かって移動するように、開扉報知灯２８Ｌの発光状態を制御する。これにより、ユーザは、左側のドア２０ＵＬ，２０ＤＬの何れかの開扉がアシストされることを認識できる。アシスト部３０の駆動が行われる際には、近接検出信号の出力に加えて人検出信号の出力も必要にしてもよい。こうするとアシスト部３０の誤駆動を抑制できる。
【００２９】
逆に、アシスト制御部８４が右側のアシスト部３０ＵＲ，３０ＤＲの何れかを駆動する場合、照明制御部８２は、ドア２０ＤＲの上面に照射される光が他方側から一方側に向かって、又は一方側から他方側に向かって、本実施形態では左から右に向かって移動するように、開扉報知灯２８Ｒの発光状態を制御する。これにより、ユーザは、右側のドア２０ＵＲ，２０ＤＲの何れかの開扉がアシストされることを認識できる。
【００３０】
また、ユーザがドア２０ＤＬを開扉すると、照明制御部８２は、開扉報知灯２８Ｌにおける１つ以上または全ての発光部品を点灯状態に保つ。同様に、ユーザがドア２０ＤＲを開扉すると、照明制御部８２は、開扉報知灯２８Ｒにおける１つ以上または全ての発光部品を点灯状態に保つ。これにより、照明制御部８２は、開扉報知灯２８Ｌ，２８Ｒを、下冷蔵室１６（図２参照）を照明する庫内照明灯として機能させることができる。また、温度制御部８６は、圧縮機９２および庫内ファン９４を制御し、冷蔵庫１内の各部の温度を制御する。
【００３１】
［実施形態の効果］
以上のように好適な実施形態によれば、冷蔵庫１は、筐体１０と、筐体１０の正面に設けられた一または複数の開閉部（２０ＵＬ，２０ＵＲ，２０ＤＬ，２０ＤＲ）と、開閉部（２０ＵＬ，２０ＵＲ，２０ＤＬ，２０ＤＲ）のうち一部または全部に設けられた受け部４０ＵＬ，４０ＵＲ，４０ＤＬ，４０ＤＲと、受け部４０ＵＬ，４０ＵＲ，４０ＤＬ，４０ＤＲを後方から押圧することによって該受け部が設けられた開閉部（２０ＵＬ，２０ＵＲ，２０ＤＬ，２０ＤＲ）の開操作をアシストするアシスト部３０ＵＬ，３０ＵＲ，３０ＤＬ，３０ＤＲと、該受け部が設けられた開閉部（２０ＵＬ，２０ＵＲ，２０ＤＬ，２０ＤＲ）に設けられ、物体が近接すると近接検出信号を出力する近接センサ部６０と、開閉部（２０ＵＬ，２０ＵＲ，２０ＤＬ，２０ＤＲ）のうち最下段のものの下端またはこれよりも下方に設けられ、筐体１０の前方に位置する人を検出可能するとともに、最大検出距離が近接センサ部６０よりも長い人感センサ部５０Ｌ，５０Ｒと、を備える。
【００３２】
このように、開閉部（２０ＵＬ，２０ＵＲ，２０ＤＬ，２０ＤＲ）のうち最下段のものの下端またはこれよりも下方に人感センサ部５０Ｌ，５０Ｒを設けたため、冷蔵庫１の高いデザイン性と、人を検出する性能とを両立できる。
【００３３】
また、人感センサ部（５０Ｌ，５０Ｒ）が人を検出し、かつ、近接センサ部６０が近接検出信号を出力すると、近接センサ部６０が設けられた開閉部２０に作用するアシスト部３０ＵＬ，３０ＵＲ，３０ＤＬ，３０ＤＲを動作させる制御部８０をさらに備えるとより好ましい。これにより、人感センサ部５０Ｌ，５０Ｒが人を検出し、かつ、何れかの近接センサ部６０が近接検出信号を出力すると、制御部８０が近接センサ部６０に対応するアシスト部３０ＵＬ，３０ＵＲ，３０ＤＬ，３０ＤＲを動作させることができる。
【００３４】
また、受け部４０に人感センサ部５０が装着されていると、より好ましい。これにより、受け部４０を人感センサ部５０の支持部材として機能させることができる。
【００３５】
また、人感センサ部５０に対して、受け部４０とは異なる側にクッション５６を備えるとより好ましい。これにより、ユーザが人感センサ部５０に当たった際に、ユーザを保護することができる。
【００３６】
また、筐体１０は天板１２と底板１７とを有し、開閉部（２０）として、閉扉状態において底板１７に対向する部分を含む長方形板状に形成された外板を有する下側開閉部（２０ＤＬ，２０ＤＲ）を備え、受け部４０として、下側開閉部（２０ＤＬ，２０ＤＲ）の外板の下縁よりも下方に設けられた下側受け部（４０ＤＬ，４０ＤＲ）を備え、アシスト部３０として、底板１７に装着され、下側受け部（４０ＤＬ，４０ＤＲ）を後方から押圧することによって下側開閉部（２０ＤＬ，２０ＤＲ）の開操作をアシストする下側アシスト部（３０ＤＬ，３０ＤＲ）を備えると、一層好ましい。これにより、下側アシスト部（３０ＤＬ，３０ＤＲ）を底板１７に埋設する必要がなくなるため、底板１７における保温効果を高めることができる。
【００３７】
また、開閉部（２０）として、閉扉状態において天板１２に対向する長方形板状に形成された外板を有する上側開閉部（２０ＵＬ，２０ＵＲ）をさらに備え、受け部４０として、上側開閉部（２０ＵＬ，２０ＵＲ）の外板の上縁（２４ＵＬ，２４ＵＲ）よりも下方に設けられた上側受け部（４０ＵＬ，４０ＵＲ）をさらに備え、アシスト部３０として、天板１２に装着され、上側受け部（４０ＵＬ，４０ＵＲ）を後方から押圧することによって上側開閉部（２０ＵＬ，２０ＵＲ）の開操作をアシストする上側アシスト部（３０ＵＬ，３０ＵＲ）をさらに備えると、一層好ましい。これにより、上側アシスト部（３０ＵＬ，３０ＵＲ）を天板１２に埋設する必要がなくなるため、天板１２における保温効果を高めることができる。
【００３８】
また、正面視において、受け部４０が設けられた開閉部（２０）の断熱材は、該受け部４０と重ならないことが好ましい。これにより、断熱材のスペースを確保でき、開閉部（２０）の断熱効果を維持できる。
【００３９】
また、好適な実施形態による冷蔵庫１は、他の観点においては、貯蔵室のうち最上段に位置する上側貯蔵室（１４）と、該上側貯蔵室（１４）に設けられた上側扉（２０ＵＬ，２０ＵＲ）と、貯蔵室のうち最下段に位置する下側貯蔵室（１６）と、該下側貯蔵室（１６）に設けられた下側扉（２０ＤＬ，２０ＤＲ）と、上側扉（２０ＵＬ，２０ＵＲ）の上縁若しくはこれより上側または下側扉（２０ＤＬ，２０ＤＲ）の下縁若しくはこれより下側に配された受け部４０と、該受け部４０に作用して、該受け部４０が設けられている扉に前方向への力を与えるアシスト部３０と、受け部４０に装着された人感センサ５２と、を備える。このように、受け部４０を上側扉（２０ＵＬ，２０ＵＲ）の上縁若しくはこれより上側または下側扉（２０ＤＬ，２０ＤＲ）の下縁若しくはこれより下側に配置することにより、冷蔵庫１の高いデザイン性と、人を検出する性能とを両立できる。
【００４０】
［変形例］
本発明は上述した実施形態に限定されるものではなく、種々の変形が可能である。上述した実施形態は本発明を理解しやすく説明するために例示したものであり、必ずしも説明した全ての構成を備えるものに限定されるものではない。また、上記実施形態の構成に他の構成を追加してもよく、構成の一部について他の構成に置換をすることも可能である。また、図中に示した制御線や情報線は説明上必要と考えられるものを示しており、製品上で必要な全ての制御線や情報線を示しているとは限らない。実際には殆ど全ての構成が相互に接続されていると考えてもよい。上記実施形態に対して可能な変形は、例えば以下のようなものである。
【００４１】
（１）上記実施形態においては、「開閉部」の一例として４枚のドア２０を適用した例を説明したが、開閉部はドア２０に限定されるものではない。すなわち、筐体の正面に設けられ、冷蔵室を外部から遮断し、必要に応じて開閉可能な様々な部材を開閉部として適用できる。例えば、開閉部は、引き出しであってもよく、引き出しとドアを混在させてもよい。また、開閉部の数は任意であり、少なくとも１枚あればよい。
【符号の説明】
【００４２】
１  冷蔵庫
１０  筐体
１２  天板
１４  上冷蔵室（上側貯蔵室）
１６  下冷蔵室（下側貯蔵室）
１７  底板
２０ＤＬ，２０ＤＲ  ドア（開閉部、下側扉、下側開閉部）
２０ＵＬ，２０ＵＲ  ドア（開閉部、上側扉、上側開閉部）
２４ＵＬ，２４ＵＲ  上端面（上縁）
３０ＤＬ，３０ＤＲ  アシスト部（下側アシスト部）
３０ＵＬ，３０ＵＲ  アシスト部（上側アシスト部）
４０ＤＬ，４０ＤＲ  受け部（下側受け部）
４０ＵＬ，４０ＵＲ  受け部（上側受け部）
５０Ｌ，５０Ｒ  人感センサ部
５２  人感センサ
５６  クッション
６０  近接センサ部
８０  制御部
【図１】
2022001808.tif 000003
【図２】
2022001808.tif 000004
【図３】
2022001808.tif 000005
【図４】
2022001808.tif 000006
【図５】
2022001808.tif 000007